(57)【特許請求の範囲】
【請求項１】
浴室内に配置されており、前記浴室全体を照らす基本照明器と、
前記浴室内に配置されたミラーボールと、
前記ミラーボールを回転させる回転装置と、
前記ミラーボールにスポット光を照射するスポットライトと、
浴槽に設置されて槽内の供気口から空気を供給し泡立てを行うジェットポンプと、
前記基本照明器、前記回転装置、前記スポットライト及び前記ジェットポンプを制御する制御器と、
前記少なくとも前記基本照明器を駆動する第一スイッチと、
前記制御器を操作する第二スイッチと
を備え、
前記制御器は、前記第一スイッチによって前記基本照明器が駆動させられている場合において、前記第二スイッチがオンになったときに、
(i) 前記基本照明器の照度を低く切換えまたは消灯し、且つ、
(ii) 前記回転装置、前記スポットライト及び前記ジェットポンプを駆動させ、前記ミラーボールで反射させられた光の一部を、前記ジェットポンプによって波立たせられた前記浴槽の湯面に照射することを特徴とする浴室内照明装置。
【請求項２】
請求項１に記載の浴室内照明装置であって、
前記制御器は、前記第二スイッチがオンになったときに、前記基本照明器の照度を低く切換えまたは消灯し、且つ前記回転装置、前記スポットライト及び前記ジェットポンプを駆動する室内演出モードに切り換えるリレー回路を有する浴室内照明装置。
【請求項３】
請求項２に記載の浴室内照明装置であって、
前記制御器は、前記第二スイッチがオンに切り換えられてから一定時間が経過した時点で前記室内演出モードを解除するタイマーをさらに有する浴室内照明装置。
【発明の詳細な説明】
【０００１】
【発明の属する技術分野】
この発明は、浴室内照明装置に関する。
【０００２】
【従来の技術】
一般に、浴室の照明は、天井または壁に設置された蛍光灯または電球の照明器を使用しており、室外等のスイッチを押し操作して、商用電源からの一定の電源電圧を照明器に供給して浴室内を照らしていた。
【０００３】
【発明が解決しようとする課題】
例えば、浴室内で人が浴槽に浸かっているときに、その人はゆっくりと体を温めながら安楽感を楽しむことが通常であるが、従来のように商用電源からの一定の電源電圧を照明器に供給するだけでは、人が浴槽内でじっとしているときの浴室内での演出効果が乏しく、楽しさに欠けると感じる人が多かった。
【０００４】
そこで、この発明の課題は、浴室内にいるときに楽しい演出効果を奏することのできる浴室内照明装置を提供することにある。
【０００５】
【課題を解決するための手段】
上記課題を解決すべく、請求項１に記載の発明は、浴室内に配置されており、前記浴室全体を照らす基本照明器と、前記浴室内に配置されたミラーボールと、前記ミラーボールを回転させる回転装置と、前記ミラーボールにスポット光を照射するスポットライトと、浴槽に設置されて槽内の供気口から空気を供給し泡立てを行うジェットポンプと、前記基本照明器、前記回転装置、前記スポットライト及び前記ジェットポンプを制御する制御器と、前記少なくとも前記基本照明器を駆動する第一スイッチと、前記制御器を操作する第二スイッチとを備え、前記制御器は、前記第一スイッチによって前記基本照明器が駆動させられている場合において、前記第二スイッチがオンになったときに、前記基本照明器の照度を低く切換えまたは消灯し、且つ、前記回転装置、前記スポットライト及び前記ジェットポンプを駆動させ、前記ミラーボールで反射させられた光の一部を、前記ジェットポンプによって波立たせられた前記浴槽の湯面に照射するものである。
【０００６】
請求項２に記載の発明は、請求項１に記載の浴室内照明装置であって、前記制御器は、前記第二スイッチがオンになったときに、前記基本照明器の照度を低く切換えまたは消灯し、且つ前記回転装置、前記スポットライト及び前記ジェットポンプを駆動する室内演出モードに切り換えるリレー回路を有するものである。
【０００７】
請求項３に記載の発明は、請求項２に記載の浴室内照明装置であって、前記制御器は、前記第二スイッチがオンに切り換えられてから一定時間が経過した時点で前記室内演出モードを解除するタイマーをさらに有するものである。
【０００８】
ここで、本明細書では、第二スイッチがオンになり、前記基本照明器の照度を低く切換えまたは消灯し、且つ前記回転装置、前記スポットライト及び前記ジェットポンプを駆動するモードを「室内演出モード」と称することにする。
【０００９】
【発明の実施の形態】
図１はこの発明の一の実施の形態に係る浴室内照明装置を示す図である。この浴室内照明装置は、図１の如く、浴室全体を照らす基本照明器１と、ミラーボール２と、このミラーボール２を縦軸３を中心に回転させる回転装置４と、当該ミラーボール２にスポット光を照射するスポットライト５と、浴槽６に設置されて槽底付近の供気口７から空気を供給し泡立てを行うジェットポンプ８と、基本照明器１、回転装置４、スポットライト５及びジェットポンプ８を制御する制御器９と、少なくとも基本照明器１を室外で駆動する室外スイッチ（第一スイッチ）１０ａと、浴槽６に設置されて制御器９を操作する室内スイッチ（第二スイッチ）１０ｂとを備える。
【００１０】
基本照明器１はインバータ駆動式の蛍光灯または電球等の照度調整可能な照明器が使用され、浴室の天井１１のほぼ中央部等に設置されて、浴室全体を照明する。
【００１１】
ミラーボール２は、多面体の各面が鏡面で構成されており、浴室の天井１１のうち浴槽６の直上において、上端部が縦軸３により回転可能に支持されている。
【００１２】
回転装置４は、ミラーボール２の上端部に取り付けられた縦軸３を回転する回転モータが使用されている。
【００１３】
スポットライト５は、一般的な投射器が使用され、発光部から出射される光の光径が小さく設定され、且つビームの開きが小さく設定されている。特に、スポットライト５の光照射方向は、ミラーボール２の一部の鏡面で反射した光が浴槽６側に向かうように設定されている。
【００１４】
ジェットポンプ８は、供気口７としてノズルが適用されて、制御器９からの信号に基づいて、浴槽６内の浴湯を泡立てるようになっている。
【００１５】
制御器９は、図２の如く、基本照明器１、スポットライト５及びジェットポンプ８のオンオフ切換え制御を行うリレー回路２１と、基本照明器１の駆動電圧を変化させてその照度を調整する可変抵抗２２と、リレー回路２１の後述するａ接点とｂ接点とを切り換えるための交流電流を供給する交流変圧器（トランス）２３と、この交流変圧器２３から交流電流が与えられた時点から一定時間が経過した時点で当該交流電流のリレー回路２１への供給を停止するタイマー２４とを備える。
【００１６】
リレー回路２１は、基本照明器１と室外スイッチ１０ａとの間に接続されるｂ接点３１と、可変抵抗２２と室外スイッチ１０ａとの間に接続される第１のａ接点３２と、スポットライト５と室外スイッチ１０ａとの間に接続される第２のａ接点３３と、駆動電源３０とジェットポンプ８との間に接続された第３のａ接点３４とを備えている。これらの各接点３１〜３４のうち、第１〜第３のａ接点３２〜３４は、室内スイッチ１０ｂがオンになって、タイマー２４を通じて交流変圧器２３からの交流電流がリレー回路２１に与えられ、これにより第１〜第３のａ接点３２〜３４がオンに切り換えられる（室内演出モード）一方、交流変圧器２３からの交流電流が切断されるとオフ状態になる。逆に、ｂ接点３１は、室内スイッチ１０ｂがオンになってタイマー２４を通じて交流変圧器２３からの交流電流がリレー回路２１に与えられているときにオフ状態（室内演出モード）になり、逆に交流変圧器２３からの交流電流が切断されるとオン状態になる。これにより、室内スイッチ１０ｂのオンオフ切換及びタイマー２４によるオンオフ切換に応じて、ａ接点３２〜３４とｂ接点３１とがオンオフ逆転して切り替わるようになっている。
【００１７】
可変抵抗２２は、接地側に接続された接地側抵抗２２ａとともに分圧抵抗を構成するものであり、可変抵抗２２の抵抗値を変化させることで接地側抵抗２２ａの電圧降下の値を調整し、基本照明器１へ供給する電圧値を変化させるようになっている。
【００１８】
タイマー２４は、一端が室内スイッチ１０ｂに接続されるとともに、他端が交流変圧器２３と、この交流変圧器２３に接続されたリレー回路２１とに切換え可能に接続された２端子タイマーであり、その他端は、初期的にはリレー回路２１に接続されており、室内スイッチ１０ｂを通じて交流変圧器２３からの交流電流が供給された時点から一定時間が経過した時点で、他端を交流変圧器２３に切り換えるようになっている。
【００１９】
室外スイッチ１０ａは、浴室の入口付近に設置され、一端が駆動電源３０に接続されるとともに、他端がリレー回路２１のｂ接点３１、第１及び第２の接点３２，３３及び回転装置４に接続される。
【００２０】
室内スイッチ１０ｂは、交流変圧器２３とタイマー２４との間に介装される。
【００２１】
上記の構成において、初期的には、室内スイッチ１０ｂはオフの状態になっている。また、リレー回路２１においては、初期的にｂ接点３１のみが閉成されており（オン状態）、全てのａ接点３２〜３４は開成されている（オフ状態）。
【００２２】
使用者が、浴室に進入する際に、入口付近に設置された室外スイッチ１０ａを押し操作すると、駆動電源３０からの電流が室外スイッチ１０ａを通じて回転装置４及びリレー回路２１に供給される。これにより、回転装置４は、室外スイッチ１０ａを通じて駆動電源３０からの電源が供給され、これに応じて縦軸３を回転軸としてミラーボール２を回転させる。
【００２３】
リレー回路２１においては、初期的にｂ接点３１のみがオン状態となっているため、このｂ接点３１に接続された基本照明器１に駆動電流が供給され、故に基本照明器１により浴室全体が照明される。一方、第２のａ接点３３に接続されたスポットライト５は消灯状態を維持し、第３のａ接点３４に接続されたジェットポンプ８も停止状態を維持する。
【００２４】
次に、使用者が浴槽６に浸かるなどして、その浴槽６の近傍に接地された室内スイッチ１０ｂを押し操作してオンにすると、交流変圧器２３からの交流電流がタイマー２４に供給される。タイマー２４は、交流変圧器２３からの交流電流をリレー回路２１に供給するとともに、計時を開始する。
【００２５】
交流変圧器２３からの交流電流が供給されたリレー回路２１は室内演出モードに切り換わり、供給された交流電流によってｂ接点３１がオフに切り替わるとともに、全てのａ接点３２〜３４がオンに切り替わる。
【００２６】
そうすると、駆動電源は、第１のａ接点３２及び可変抵抗２２を通じて基本照明器１に与えられ、また第２のａ接点３３を通じてスポットライト５に与えられ、さらに第３のａ接点３４を通じてジェットポンプ８に与えられる。
【００２７】
まず、第１のａ接点３２がオンになると、駆動電源３０からの駆動電圧が室外スイッチ１０ａを通じて可変抵抗２２に印加されるため、基本照明器１には、可変抵抗２２と接地側抵抗２２ａとで分圧された電圧が印加される。したがって、基本照明器１は、ｂ接点３１を通じて駆動電源が与えられていた場合に比べて、駆動電圧が可変抵抗２２によって降下されるため、基本照明器１による浴室全体の照明照度が低下する。可変抵抗２２の抵抗値を接地側抵抗２２ａに比べて極めて大きく調整すれば、基本照明器１による浴室全体の照明照度は大幅に低下することになる。
【００２８】
また、スポットライト５には、室外スイッチ１０ａ及び第２のａ接点３３を通じて駆動電源３０からの駆動電圧が印加される。このため、スポットライト５が駆動を開始し、光をミラーボール２に照射する。ミラーボール２は回転装置４によって縦軸３を中心軸として回転しているため、ミラーボール２の各面で反射した光は浴室の各部に星空のように照射され、且つミラーボール２の回転に伴って浴室を幻想的な雰囲気にする。特に、ミラーボール２で反射した光の一部は、浴槽６に向けて照射される。
【００２９】
さらに、ジェットポンプ８には、室外スイッチ１０ａ及び第３のａ接点３４を通じて駆動電源３０からの駆動電圧が印加される。したがって、浴槽６内の浴湯が泡立ち、その湯面が不規則に波立つ。
【００３０】
このとき、スポットライト５から照射されてミラーボール２の各面で反射した光が、不規則に波立った湯面に照射され、その湯面でさらに反射して、煌めく光の演出効果を奏することができる。
【００３１】
以上のように、室内スイッチ１０ｂを押し操作するだけで、浴室全体を照明する基本照明器１の照度が下がり、スポットライト５がミラーボール２を照射して浴槽６に光を反射させ、同時にジェットポンプ８が駆動を開始して浴槽６の湯面でミラーボール２からの光が煌めくようになるため、使用者はワンタッチで浴室全体の幻想的な演出効果を楽しむことが可能となる。
【００３２】
また、タイマー２４での計時において、一定時間が経過すると、交流変圧器２３からの交流電流をリレー回路２１から遮断して室内演出モードを解除するので、室内スイッチ１０ｂをオンにしたままにしておいても、自動的に初期状態である基本照明器１のみの浴室全体の照明に切り替わる。したがって、室内スイッチ１０ｂの切り忘れがあっても、元の状態に自動的に復帰させることが可能である。
【００３３】
尚、この実施の形態では、回転装置４の駆動切換を室外スイッチ１０ａでのみ行っていたが、例えばリレー回路２１内にさらにａ接点を備えて、このａ接点で室内スイッチ１０ｂをオンにしたときにのみ駆動するようにしても差し支えない。
【００３４】
また、上記実施の形態では、室内スイッチ１０ｂを押し操作したときに可変抵抗２２の抵抗値に対応して基本照明器１の照度を低下させていたが、第１のａ接点３２及び可変抵抗２２を省略して、ｂ接点３１を開成（オフ）するだけで基本照明器１を消灯するようにしてもよい。
【００３５】
さらに、第一スイッチ（室外スイッチ１０ａ）を浴室外に、第二スイッチ（室内スイッチ１０ｂ）を浴室内に設置していたが、これに限るものではない。
【００３６】
【発明の効果】
請求項１及び請求項２に記載の発明によれば、第二スイッチをオンに切り換えるだけで、浴室全体を照明する基本照明器の照度が下がり、スポットライトがミラーボールを照射して浴槽に光を反射させ、同時にジェットポンプが駆動を開始して浴槽の湯面でミラーボールからの光が煌めくようになるため、使用者はワンタッチで浴室全体の幻想的な演出効果を楽しむことが可能となる。
【００３７】
請求項３に記載の発明によれば、タイマーでの計時において、一定時間が経過すると、室内演出モードを解除するので、第二スイッチをオンにしたままにしておいても、初期状態である基本照明器のみの浴室全体の照明に切り替わる。したがって、第二スイッチの切り忘れがあっても、元の状態に自動的に復帰させることが可能である。
【図面の簡単な説明】
【図１】この発明の一の実施の形態における浴室内での各要素の配置を示す図である。
【図２】この発明の一の実施の形態に係る浴室内照明装置を示すブロック図である。
【符号の説明】
１  基本照明器
２  ミラーボール
３  縦軸
４  回転装置
５  スポットライト
６  浴槽
８  ジェットポンプ
９  制御器
１０ａ  室外スイッチ
１０ｂ  室内スイッチ
１１  天井
２１  リレー回路
２２  可変抵抗
２３  交流変圧器
２４  タイマー
３０  駆動電源
３１  ｂ接点
３２〜３４  ａ接点
【図１】
0003818840.tif 000002
【図２】
0003818840.tif 000003